(57)【要約】      （修正有）【課題】電気配線作業及びメンテナンスが容易な外照式照明具を提供する。【解決手段】外照式照明具は、壁面にアンカーボルト７で取り付けられる取付材１と、照明具本体２と、カバー材３とを備える。取付材１は、被係合部１３ｅを有する。照明具本体２は、照明４と、照明４に接続され躯体側からの交流電流を直流電流に変換するトランス６と、係合部２１ｃとを有していて、係合部２１ｃが、予め躯体に取り付けられた取付材１の被係合部１３ｅに係合することで保持される。取付材１と、照明具本体２との間には、トランス６と躯体側の交流電源とを接続するための配線空間Ｓが形成されている。カバー材３は、取付材１と照明具本体２に架設されることで、アンカーボルト７及び配線空間Ｓを覆っている。【選択図】図１
2020095855.tif 000002
【特許請求の範囲】
【請求項１】
壁面にアンカーボルトで取り付けられる取付材と、照明具本体と、カバー材とを備え、
取付材は、被係合部を有し、
照明具本体は、照明と、照明に接続され躯体側からの交流電流を直流電流に変換するトランスと、係合部とを有していて、予め躯体に取り付けられた取付材の被係合部に係合部が係合することで保持されており、
取付材と照明具本体との間には、トランスと躯体側の交流電源とを接続するための配線空間が形成されており、
カバー材は、取付材と照明具本体に架設されることで、アンカーボルト及び配線空間を覆っていることを特徴とする外照式照明具。
【発明の詳細な説明】
【技術分野】
【０００１】
本発明は、外照式照明具に関する。
【背景技術】
【０００２】
交通広告やビル壁面のサイン用の照明装置として、非特許文献１には、壁面取付材と、照明具本体（ＬＥＤ照明及び照明カバー）と、壁面取付材と照明具本体とを連結しつつ配線空間を覆うカバー材とを備えた外照式照明具が記載されている。
しかしながら、上記従来の外照式照明具は、照明具本体に予めカバー材を取り付けたのちに壁面取付材に取り付ける必要があったため、電気配線作業は照明具本体を壁面に取り付ける前に行う必要があり、施工手順が煩雑で作業性が悪かった。また、ＬＥＤ等のメンテナンス時にはカバー材のみを取り外すことができず、照明具本体ごと壁面取付材から取り外す必要があるため、作業性が悪かった。
【先行技術文献】
【非特許文献】
【０００３】
【非特許文献１】「アドフレーム総合カタログ2017-2018（098322）」、三協立山株式会社タテヤマアドバンス社、p.29
【発明の概要】
【発明が解決しようとする課題】
【０００４】
本発明は上記課題に鑑み、電気配線作業及びメンテナンスが容易な外照式照明具を提供することを目的とする。
【課題を解決するための手段】
【０００５】
本発明の外照式照明具は、壁面にアンカーボルトで取り付けられる取付材と、照明具本体と、カバー材とを備え、取付材は、被係合部を有し、照明具本体は、照明と、照明に接続され躯体側からの交流電流を直流電流に変換するトランスと、係合部とを有していて、係合部が、予め躯体に取り付けられた取付材の被係合部に係合することで保持されており、取付材と、照明具本体との間には、トランスと躯体側の交流電源とを接続するための配線空間が形成されており、カバー材は、取付材と照明具本体に架設されることで、アンカーボルト及び配線空間を覆っていることを特徴とする。
【発明の効果】
【０００６】
本発明の外照式照明具によれば、壁面に取り付けられている取付材の被係合部と、照明具本体の係合部とが係合することで照明具本体が支持されるので、壁面に取り付けられた取付材に照明具本体を取り付けた後に躯体側の交流電源からトランスへの電気配線作業を行うことができ、さらにこの電気配線作業の際には照明具本体を外力によって支える必要がないので、作業性に優れる。また、照明やトランス等のメンテナンス時には照明具本体を取付材から取り外す必要がなくカバー材のみを取り外せばよいので、作業性に優れる。
【図面の簡単な説明】
【０００７】
【図１】（ａ）は図３のI−I線断面図であり、（ｂ）は照明具本体とカバー材の取り付け方法を示す説明図である。
【図２】使用時の外照式照明具の斜視図である。
【図３】外照式照明具の（ａ）は正面図、（ｂ）は下面図、（ｃ）は側面図である。
【図４】電気配線がなされた照明具本体の斜視図である。
【図５】外照式照明具の取付手順を示す説明図である。
【図６】外照式照明具の取付手順を示す説明図である。
【発明を実施するための形態】
【０００８】
以下、本発明の実施の形態を図面に基づいて説明する。本発明の外照式照明具（以下、照明具とする）の使用場所は特に限定されるものではないが、ここでは壁面に設置される大型サイン用の照明として使用する場合を示す。なお、以下の説明において正面側、背面側、及び左右方向とは、図１乃至図３に示した通りとし、照明具の構成の説明は図１（ａ）に示す壁面への取付済みの状態を基準とする。
【０００９】
照明具は、図１（ａ）及び図２に示すように、壁面Ｗに沿って設置された広告板８を正面側上方から照らすものであって、壁面Ｗに取り付けられる取付材１と、取付材１に取り付けられる照明具本体２と、取付材１と照明具本体２との間に形成された配線空間Ｓの開口部を上方から覆うように塞ぐカバー材３とから構成されている。
【００１０】
取付材１は、照明具を壁面Ｗに取り付けるためのものであって、照明具の左右方向に亘って設けられた側面視略コの字状の部材であり、壁面Ｗに前方からアンカーボルト７によって固定される固定壁１１と、固定壁１１の上下端からそれぞれ前方へと延びた上見込壁１２と下見込壁１３とを有している。上見込壁１２は、その略前端部からそれぞれ前側上方及び下方に延びた被当接部１２ａとネジ止め部１２ｂを有している。被当接部１２ａは、上見込壁１２の略前端部から上方へと延びた立上り壁１２ｃと、立上り壁１２ｃの上端から前方へと延びた見込壁１２ｄを有している。下見込壁１３は、固定壁１１の下端から正面側へと水平に突出した水平部１３ａと、水平部１３ａの正面側端部から正面側上方へと伸びた傾斜部１３ｃと、傾斜部１３ｃの先部において、正面側に鉛直面を有する被当接部１３ｄと、被当接部１３ｄから背面側へと伸びた平板状の被係合部１３ｅとを有している。
【００１１】
照明具本体２は、図１及び図３に示すように、ＬＥＤ光源である照明４と、照明４に接続され躯体側からの交流電流を直流電流に変換するトランス６と、照明面板５とを保持するためのものであって、それぞれ照明具の長手方向に亘って設けられた略水平な板状の下面部２１と、正面側へとやや傾斜した略平板状の上面部２２と、上面部２２の正面側端から垂下した正面壁２３と、下面部２１と上面部２２とを繋いでいる略鉛直な連結壁２４とから構成されている。下面部２１は、背面側端部にトランス６をネジ止めするためのトランス保持部２１ｂを有していて、トランス保持部２１ｂの下部から後方へと略水平に突出した当接部２１ａと、トランス保持部２１ｂの上部から背面側へと水平に延出したネジ止め部２１ｄと、ネジ止め部２１ｄの背面側端部から下方へと鉤状に屈曲した係合部２１ｃとが形成されている。当接部２１ａは取付材１の被当接部１３ｄの正面側面に当接しており、また、係合部２１ｃは取付材１の被係合部１３ｅに被さるように係合している。これにより、照明具本体２は外力を必要とせずに、取付材１によって前後方向に移動不能かつ下方へ回動不能に支持されている。そして、照明具本体２をこの状態で固定するため、ネジ止め部２１ｄが取付材１の被当接部１３ｄに上からネジ止めされている。上面部２２は、その背面側端部に上方へと鉤状に屈曲した係合部２２ａを有する。上面部２２の中間部には、照明４をネジ止めするためのネジ止め部２２ｂが設けられている。照明面板５は、下面部２１の前端と正面壁２３の下端とにそれぞれ設けられた溝に挿入されて保持されている。連結壁２４は、下面部２１の前後方向中央部付近と、上面部２２の背面側端部付近とを連結するように、照明具本体２の長手方向に亘って略鉛直に設けられた平板状の部材であり、トランス６と照明４との間の電気配線Ｅを挿通するための貫通孔２４ａを有している。
【００１２】
配線空間Ｓは、照明具本体２の連結壁２４と、下面部２１のうち連結壁２４より背面側の部分と、取付材１とによって囲まれ、照明具の長手方向に亘って連続した空間であり、カバー材３の取付前の状態では上方へと開口している。取付材１を壁面Ｗに固定しているアンカーボルト７は、配線空間Ｓ内に位置している。
【００１３】
カバー材３は、配線空間Ｓの開口部を塞ぐためのものであって、略平板状の上面部３１と、上面部３１の背面側端部から立ち上がったネジ止め部３２と、ネジ止め部３２上端部から背面側に突出している当接部３３とを有している。上面部３１の前部には、背面側下方へと鉤状に屈曲した被係合部３１ａが設けられている。被係合部３１ａは、照明具本体２の係合部２２ａに対し正面側から略水平に挿入されることで、両者は互いに係合する。当接部３３は、取付材１の被当接部１２ａに対し正面側から略水平に挿入されて当接する。したがってカバー材３は取付材１と照明具本体２に対し、正面側から水平に挿入することで取り付けることができ、さらにネジ止め部３２が取付材１のネジ止め部１２ｂに対しネジ止めされることで固定される。
【００１４】
次に、本発明の照明具の壁面Ｗへの取付方法を図１，４，５，６に基づいて説明する。なお、予め照明具本体２には照明４とトランス６が取り付けられている。まず、図５（ａ）のように壁面Ｗに取付材１をアンカーボルト７で固定する。次に、図１（ｂ），図５（ｂ）〜（ｄ）のように、照明具本体２を背面側が下になるよう傾斜させて係合部２１ｃを被係合部１３ｅに上から被せるように引っ掛けた後、照明具本体２を係合部２１ｃを軸にして正面側端部を引き下げるように回動させると、当接部２１ａが被当接部１３ｄに当接して照明具本体２はそれ以上回動できないため、図１（ａ），図５（ｄ）の状態となり、照明具本体２は取付材１によって支持される。そして、図５（ｄ）のようにネジ止め部２１ｄを被当接部１３ｄに上からネジ止めして固定する。次いで、図４及び図６（ａ）のように、トランス６と躯体側の交流電源との電気配線を行う。そして、図６（ｂ）のように、カバー材３を取付材１と照明具本体２に対し、正面側から水平に挿入するようにして取り付ける。このとき、被係合部３１ａは、照明具本体２の係合部２２ａに対し正面側から略水平に挿入されることで係合し、当接部３３は、取付材１の被当接部１２ａに対し正面側から当接する。さらに、ネジ止め部３２を取付材１のネジ止め部１２ｂに対しネジ止めすることでカバー材３を固定する。そして、図６（ｂ）のように照明具の左右両端部にエンドキャップ９をネジ止めして、照明具の壁面Ｗへの取り付けが完了する（図２）。なお、広告面８の壁面Ｗへの取り付けは、照明具の壁面Ｗへの取り付けの前後どちらであってもよい。
【００１５】
次いで、本発明の照明具の構成による作用及び効果について説明する。本発明の照明具によれば、壁面Ｗに取り付けられている取付材１の被係合部１３ｅと、照明具本体２の係合部２１ｃとが係合しており、また、当接部２１ａが取付材１の被当接部１３ｄの正面側面に当接していることで、照明具本体２が取付材１によって前後方向に移動不能かつ下方へ回動不能に支持されているので、壁面Ｗに取り付けられた取付材１に照明具本体２を取り付けた後に躯体側の交流電源からトランス６への電気配線作業を行うことができ、作業性が良い。そればかりでなく、躯体側の交流電源からトランス６への電気配線作業の際や、照明具本体２のネジ止め部２１ｄを取付材１の被当接部１３ｄにネジ止めして固定する際には、照明具本体２を外力によって支えておく必要がないので、作業性に優れる。また、照明４やトランス６等のメンテナンス時には照明具本体２を取付材１から取り外す必要がなくカバー材３のみを取り外せばよいので、作業性が良い。
【００１６】
また、照明具本体２は、ネジ止め部２１ｄが取付材１の被当接部１３ｄに上からネジ止めされることで固定されているので、ネジ止め作業時にネジが不意に外れた際には、落下したネジは配線空間Ｓ内に留まる。これにより、ネジが照明具の外部へと落下せず作業性が良いばかりでなく、照明具の取り付け場所が高所であってもネジが地上へと落下することがないので、安全性が高い。
【００１７】
また、照明具本体２の下面部２１と上面部２２とを連結する連結壁２４が照明具本体２の長手方向に亘って設けられていることで、カバー材３の取り付け前の状態で配線空間Ｓ内に雨水等が降りかかった場合にも、雨水は連結壁２４よりも正面側へは浸入することがないので、照明４に雨水が付着することがない。
【００１８】
本発明は、上記の実施形態に限らず本発明の要旨を逸脱しない範囲で変形可能であり、外照式照明具の各部の形状、寸法等は適宜変更できる。
【符号の説明】
【００１９】
Ｗ      壁面
１      取付材
１３ｅ  被係合部
２      照明具本体
２１ｃ  係合部
３      カバー材
４      照明
６      トランス
７      アンカーボルト
Ｓ      配線空間
【図１】
2020095855.tif 000003
【図２】
2020095855.tif 000004
【図３】
2020095855.tif 000005
【図４】
2020095855.tif 000006
【図５】
2020095855.tif 000007
【図６】
2020095855.tif 000008